(57)【特許請求の範囲】
【請求項１】
金属枠の室内側に樹脂枠を設けてなる窓枠と、窓枠に開閉自在に設けられる障子とを備え、
樹脂枠は、金属枠に対して内周側から連結手段により取付けられる主樹脂枠と、主樹脂枠の室内側に係止される副樹脂枠とからなり、
副樹脂枠は、中空部を備えており、
金属枠に取付けられた主樹脂枠に対して副樹脂枠が係止されることにより、副樹脂枠の中空部の見付け方向外周側に主樹脂枠の金属枠に対する取付部位を収容する中空部が形成されるとともに、副樹脂枠の中空部の見込み方向室外側に主樹脂枠と副樹脂枠とによって中空部が形成されることを特徴とする断熱サッシ。
【発明の詳細な説明】
【技術分野】
【０００１】
金属枠の室内側に樹脂枠を取付けてなる窓枠と、窓枠に開閉自在に支持される障子とを備えるサッシに関する。
【背景技術】
【０００２】
近年、金属枠の室内側に樹脂枠を取付けた断熱サッシが知られている。（特許文献１）
【先行技術文献】
【特許文献】
【０００３】
【特許文献１】特開２００１−２０７７３１号
【発明の概要】
【発明が解決しようとする課題】
【０００４】
上記先行技術文献のような断熱サッシにおいては、樹脂枠を金属枠に固定するに際しては、樹脂枠の室内側からビス等の固定手段により固定することが行われていた。
しかし、樹脂枠を固定するための固定手段が室内側に露出していたりすると、金属枠側から固定手段を介して熱が室内側に伝達されるなど、断熱性が損なわれる可能性があった。
【０００５】
本発明は、上記の事情を鑑み、金属枠の室内側に樹脂枠を設けた断熱サッシにおいて、断熱性能のさらなる向上をはかることを目的とする。
【課題を解決するための手段】
【０００６】
本発明は、金属枠の室内側に樹脂枠を設けてなる窓枠と、窓枠に開閉自在に設けられる障子とを備え、樹脂枠は、金属枠に対して内周側から連結手段により取付けられる主樹脂枠と、主樹脂枠の室内側に係止される副樹脂枠とからなり、副樹脂枠は、中空部を備えており、金属枠に取付けられた主樹脂枠に対して副樹脂枠が係止されることにより、副樹脂枠の中空部の見付け方向外周側に主樹脂枠の金属枠に対する取付部位を収容する中空部が形成されるとともに、副樹脂枠の中空部の見込み方向室外側に主樹脂枠と副樹脂枠とによって中空部が形成されることを特徴とする。
【発明の効果】
【０００７】
金属枠に取付けられた主樹脂枠に対して副樹脂枠を係止することにより、主樹脂枠と副樹脂枠とによる複数層の中空部を形成することができ、また、主樹脂枠の金属枠に対する取付部位を収容する中空部が形成されて、金属枠から固定手段を伝わる熱が室内に伝達することを有効に阻止して断熱性能を向上させることができる。
また、主樹脂枠が金属枠に対して内周側から連結手段により取付けられるので、金属枠と主樹脂枠とを一緒に建物開口部に固定して施工することができ、金属枠と主樹脂枠とを建物開口部に固定したあとに、副樹脂枠を主樹脂枠に係止して固定することができるので、組立て施工性及びメンテナンス性がよい。
【図面の簡単な説明】
【０００８】
【図１】本発明の実施形態に係る樹脂サッシである勝手口ドアの縦断面図である。
【図２】本発明の実施形態に係る樹脂サッシである勝手口ドアの横断面図である。
【図３】本発明の実施形態に係る樹脂サッシである勝手口ドアの縦枠の拡大横断面図である。
【図４】（ａ）（ｂ）は、本発明の実施形態に係る樹脂サッシである勝手口ドアの他の実施例の縦枠の拡大横断面図である。
【発明を実施するための形態】
【０００９】
−勝手口ドア−
本発明の実施形態の断熱サッシについて、図１、２に示す勝手口ドアを用いて説明する。
（全体の構成）
図１、２に示すように、本発明の実施形態の勝手口ドアは、建物開口部に設置される、上枠１１、下枠１２及び左、右縦枠１３，１４により構成される枠体１と、上框２１、下框２２、及び左、右縦框２３，２４を四周に組んでその内周にガラス等のパネル体２５が嵌め込まれて構成されるドア本体２とからなる。
ドア本体２はヒンジ部７１により枠体１に開閉自在に取り付けられており、枠体１の上枠１１とドア本体２の上框２１との間には、ドアクローザ７２が配置されている。
【００１０】
（窓枠の構成）
枠体１を構成する上枠１１、下枠１２及び左、右縦枠１３，１４は、金属枠の室内側に合成樹脂により形成された樹脂枠を設けて形成されている。
上枠１１は、断面中空の上枠本体部の室内側に室内側部分が延設されて構成され、その内周面には嵌合溝１１１ａが形成される金属上枠１１１と、断面中空の樹脂枠本体部の室内側にアングル部１１５ａが延設されて構成され、樹脂枠本体部の室外側に嵌合部１１５ｂが形成される樹脂上枠１１５とから構成されている。
【００１１】
樹脂上枠１１５は、その嵌合部１１５ｂを金属上枠１１１の嵌合溝１１１ａに嵌合するとともに、樹脂枠本体部の内周側から金属上枠１１１に対してビス等の連結手段（図示は無し。）により取付けられている。そして、樹脂上枠１１５が取付けられ上枠１１をネジ等の固定手段ｎ（図示は無し。）により、建物開口部に固定している。
樹脂枠本体部の内周側には上枠１１を固定する連結手段ｂや固定手段ｎの頭部が収容できるように溝部１１５ｃが形成されており、溝部１１５ｃの開口部には、樹脂蓋１１６が嵌め込まれ、連結手段ｂや固定手段ｎの頭部が室内側に露出することを防止している。また、樹脂上枠１１５の樹脂枠本体部の室外側面には、気密材保持溝が形成され、ドア本体２の上框２１の室内側面に当接して枠体１とドア本体２との間を気密する気密材ｓが保持されている。
【００１２】
下枠１２は、断面中空の下枠本体部の室外側に水切りが延設される金属下枠１２１と、断面中空の樹脂枠本体部の室内側にアングル部１２５ａが延設されてなる樹脂下枠１２５とから構成されている。
金属下枠１２１は、建物躯体に配置されたアンカー部材７３に固定されており、室内側上面には樹脂下枠１２５の係止部１２５ｂを係止するための被係止部１２１ａが形成されている。樹脂下枠１２５の断面中空の樹脂枠本体部の下方に形成された係止部１２５ｂを金属下枠１２１の被係止部１２１ａに係止され、樹脂下枠１２５のアングル部１２５ａが建物躯体の開口部下面の木製等の額部に載置され、木ねじ等により固定される。
樹脂枠本体部の室外側面は、金属下枠１２１の被係止部１２１ａ上方で室外側に露出して気密材保持溝が形成され、ドア本体２の下框２２の室内側面に当接して枠体１とドア本体２との間を気密する気密材ｓが保持されている。
【００１３】
左、右縦枠１３、１４は、アルミ等の金属材料からなり断面中空の本体部１３１ａ，１４１ａと本体部１３１ａ，１４１ａの室内側に延設する樹脂枠取付部１３１ｄ、１４１ｄとを備えた左、右金属縦枠１３１，１４１と、樹脂枠取付部１３１ｄ，１４１ｄに取付けられる左、右主樹脂縦枠１３２、１４２と、左、右主樹脂縦枠１３２、１４２に係止される左、右副樹脂縦枠１３３，１４３とから構成されている。
左、右主樹脂縦枠１３２、１４２を、左、右金属縦枠１３１，１４１の樹脂枠取付部１３１ｄ，１４１ｄに取付けたのち、左、右金属縦枠１３１，１４１の外周に設けられた取付片１３１ｆ，１４１ｆを建物開口部にネジ等の固定手段により固定するとともに、建物開口部の内周側からネジ等の固定手段ｎにより固定することで、左、右縦枠１３，１４が建物開口部に固定される。
なお、金属縦枠に取付けられた主樹脂縦枠にネジ等の固定手段ｎが貫通する孔部を設けて、ネジ等の固定手段ｎによって金属縦枠のみを建物開口部に固定することが、施工後のメンテナンス性の点から好ましいが、金属縦枠と主樹脂縦枠とを一緒に建物開口部に固定するようにすることも可能である。
【００１４】
そして、左、右主樹脂縦枠１３２、１４２の室外側面には気密材ｓが設けられ、ドア本体２の左、右縦框２３，２４の室内側面に当接して枠体１とドア本体２との間を気密している。
【００１５】
（ドア本体の構成）
ドア本体２を構成する上框２１、下框２２及び左、右縦框２３，２４は、中空の矩形形状をなす金属框と、金属框の室内側面に配置される樹脂框とから構成され、樹脂枠はいずれも複数の中空部を備えている。
【００１６】
金属上框２１１（金属下框２２１）の室外側部分は外周方向に延設され、その室内側面が上枠１１（下枠１２）の室外側に設けられた気密材に当接して枠体１とドア本体２との間の室外側における気密を行っている。一方、上枠１１及び下枠１２の樹脂枠に設けた気密材ｓがドア本体２の樹脂框の室内側面に当接して枠体１とドア本体２との間の室内側における気密を行っている。
【００１７】
左縦框２３の左金属縦框２３１は、ヒンジ部７１によって左縦枠１３の左金属縦枠１３１に対して回動自在に取り付けられ、左縦框２３の左樹脂縦框２３２の室内側面が、左縦枠１３の左主樹脂縦枠１３２の室外側面に設けられた気密材ｓに当接している。
右縦框２４の右金属縦框２４１の内部には、ハンドル７４により操作されるラッチ機構７５が配置されており、ハンドル７４の操作によりドアの開閉を可能にしている。そして、右縦框２４の右樹脂縦框２４２の室内側面が、右縦枠１４の右主樹脂縦枠１４２の室外側面に設けられた気密材ｓに当接している。
【００１８】
樹脂框に形成された中空部は、隔壁ｗにより複数に分割され、中空部内での空気の対流が隔壁ｗにより妨げられている。また、樹脂框の中空部を分割している隔壁ｗは、中空部の室外側面から突出して形成されて、その室外側端部が金属框の室内側面に当接することにより、金属框の室内側面と樹脂框の室外側面の間に複数の中空部ｈが形成されており、金属框の室内側面が直接樹脂框に当接せずに断熱空気層を介しているので、断熱性を向上させることができる。
【００１９】
（樹脂枠の取付、及び、断熱構造）
本発明の実施形態に係る勝手口ドアにおいて、枠体１を構成する各枠のうち、特に縦枠については、樹脂枠を、金属枠に対して取付けられる主樹脂縦枠と、主樹脂縦枠の室内側に係止される副樹脂縦枠とから構成している。
以下、主樹脂縦枠と副樹脂縦枠の構成について、図３、４を示す左縦枠１３を参照しながら、さらに詳細に説明する。
【００２０】
図３は、図１、２に示す実施形態に係る勝手口ドアの左縦枠１３及び左縦框２３の拡大平面図である。
左縦枠１３の左金属縦枠１３１は、中空の本体部１３１ａと、本体部１３１ａの外周壁が室内方向に延設されてなる外周壁部１３１ｂと、外周壁部１３１ｂの室内側端部を外周方向に屈曲してなる室内壁部１３１ｃとを備えており、外周壁部１３１ｂと本体部１３１ａの室内側壁とにより樹脂枠取付部１３１ｄを構成している。
樹脂枠取付部１３１ｄを構成する本体部１３１ａの室内側壁の室内側内周端には、左主樹脂縦枠１３２の室外側を係止するための被係止部１３１ｅがその先端が外周方向に向くようにＬ字状に形成されており、樹脂枠取付部１３１ｄの内周面は略平坦な面として形成されている
【００２１】
左金属縦枠１３１の樹脂枠取付部１３１ｄに取付けられる左主樹脂縦枠１３２は、中空の本体部１３２ａと、本体部１３２ａの室外面に形成され、左金属縦枠１３１の被係止部１３１ｅに係止する係止片１３２ｂと、本体部１３２ａの外周壁が室内方向に延設されて形成される固定面部１３２ｃと、固定面部１３２ｃの室内側端部を内周方向に屈曲してなる室内壁部１３２ｄと、本体部１３２ａの本体部１３２ａの室外側内周面より内周に延びる室外壁部１３２ｅとにより構成されており、室外壁部１３２ｅの室外側面には、気密材ｓを取付けるための取付溝が形成され、その内周端部には、被係止部１３２ｆが形成されている。
本体部１３２ａの室内側面と室内壁部１３２ｄとにより、左副樹脂縦枠１３３の係止爪１３３ｂを係止するための係止溝１３２ｇが形成されている。
【００２２】
一方、左主樹脂縦枠１３２に係止される左副樹脂縦枠１３３は、中空の本体部１３３ａと、本体部１３３ａの外周に形成される係止爪１３３ｂと、本体部１３３ａの室内側に延設されるアングル部１３３ｃと、本体部１３３ａの内周に延設される係止部１３３ｄにより構成されている。
【００２３】
建物開口部に左縦枠１３を施工するに際しては、左金属縦枠１３１の樹脂枠取付部１３１ｄの被係止部１３１ｅに対して左主樹脂縦枠１３２の係止片１３２ｂを係止するとともに、本体部１３２ａ及び固定面部１３２ｃの外周面を樹脂枠取付部１３１ｄの内周面に当接させ、係止溝１３２ｇの底部からビス等の連結手段ｂで、左金属縦枠１３１に対して左主樹脂縦枠１３２を取付ける。そして、左金属縦枠１３１の取付片１３１ｆを建物開口部に固定すると共に、係止溝１３２ｇの底部からネジ等の固定手段ｎにより、左縦枠１３を建物開口部に対して固定する。
【００２４】
左金属縦枠１３１に左主樹脂縦枠１３２を取付けるに際して、左金属縦枠１３１の樹脂枠取付部１３１ｄの内周面に内周方向に突出する部材が存在しないので、左主樹脂縦枠１３２の係止片１３２ｂを樹脂枠取付部１３１ｄの被係止部１３１ｅに係止させた状態で時計方向に回動させることによって、左金属縦枠１３１の室内壁部１３１ｃと左主樹脂縦枠１３２の室内壁部１３２ｄとを面一に位置決めすることができ、両室内壁部１３１ｃ、１３２ｄの室内側面に対して額部材をがたつき無く取付けることができる。また、樹脂枠取付部１３１ｄの内周面が平坦に形成されているので、左主樹脂縦枠１３２の平坦な外周面が良好に当接して、ビス等の連結手段ｂの締め付けによって、係止爪１３３ｂに対して戸当りとして機能する左主樹脂縦枠１３２の安定した固定ができる。
【００２５】
さらに、左主樹脂縦枠１３２の被係止部１３２ｆに左副樹脂縦枠１３３の係止部１３３ｄを係止させるとともに、係止溝１３２ｇに対して係止爪１３３ｂを係止することによって、左副樹脂縦枠１３３を左主樹脂縦枠１３２に係止することができる。左副樹脂縦枠１３３のアングル部１３３ｃは、木ねじ等により建物開口部の木製等の縁部材に固定している。
【００２６】
左主樹脂縦枠１３２に左副樹脂縦枠１３３を係止することによって、係止溝１３２ｇと本体部１３３ａの外周面とにより中空部ｈ１が形成されるとともに、室外壁部１３２ｅと本体部１３３ａの室外面とにより中空部ｈ２が形成されるので、副樹脂枠の中空の本体部１３３ａの見付け方向及び見込み方向にそれぞれ一つずつの中空部が形成されることとなる。それによって、見付け方向及び見込み方向に複数層の中空部が形成されるので、対流を分断して断熱性能を向上させることができる。
このとき、左副樹脂縦枠１３３の係止を、左主樹脂縦枠１３２の内周面の係止溝１３２ｇに対する係止のみではなく、左主樹脂縦枠１３２の内周に延びる室外壁部１３２ｅの先端における係止（被係止部１３２ｆに対する係止部１３３ｄによる係止）により行っているので、中空部による安定した複数層構造をつくることができる。
さらに、係止溝１３２ｇと本体部１３３ａの外周面とにより形成される中空部ｈ１内には左縦枠１３を固定するためのネジ等の固定手段ｎの頭部を収容することができるので、固定手段ｎを伝達する熱が室内側に伝達されることを防止することができ、断熱性の向上が望めるとともに、意匠性を向上させることができる。
【００２７】
図４（ａ）は、図３に示す実施形態の左縦枠１３の変形例を示し、室外壁部１３２ｅの室外側面に取付けられる気密材ｓが、左主樹脂縦枠１３２に一体的に設けられている点で、異なっている。
気密材ｓは、左主樹脂縦枠１３２の本体部１３２ａ等の樹脂に比較して柔らかい樹脂によって一体的に成形されており、気密材ｓを取り付けるための取付溝を省略することでき、図３に示す実施形態の左縦枠１３において取付溝が設けられていた部位には、中空部が形成されている。
図４（ｂ）は、図４（ａ）と同様に気密材ｓを左主樹脂縦枠１３２に一体的に設けるとともに、室外壁部１３２ｅを中空壁により形成している。
それにより、室外壁部１３２ｅの剛性及び断熱性をさらに向上させることができる。
【００２８】
以上のように、本発明の実施形態の断熱サッシは、金属枠の内周側に中空部を備える主樹脂枠を取付けるとともに、主樹脂枠を取付けた金属枠をネジ等の固定手段により建物開口部に固定することにより、主樹脂枠の施工も行うことができるので施工性に優れており、施工後に主樹脂枠が破損した場合などには、金属枠に対する主樹脂枠のビス等の連結手段による取付けを解消すれば主樹脂枠の交換等を簡単に行うことができ、メンテナンス性に優れている。
また、主樹脂枠に対して副樹脂枠を係止することにより枠体を建物開口部に固定するための固定手段を収容する中空部を形成することができ、また、主樹脂枠に係止される副樹脂枠は、アングル部により建物開口部の木製等の額部に固定されるので、金属部材に接触することがなく、金属部材から固定手段等を介して熱等の伝達がされることなく、断熱サッシの断熱性を向上させることができる。
【００２９】
なお、本発明の樹脂サッシは、勝手口ドア等の開き障子を有する建具に限られるものではなく、引戸障子を備える樹脂サッシでもよく、また、主樹脂枠と副樹脂枠とによる断熱構造は、縦枠のみならず、必要に応じて上枠や下枠の構成として採用することも可能である。
【符号の説明】
【００３０】
１          ：枠体
１１      ：上枠
１１１    ：金属上枠
１１５    ：樹脂上枠
１２        ：下枠
１２１    ：金属下枠
１２５    ：樹脂下枠
１３        ：左縦枠
１３１    ：左金属縦枠
１３２    ：左主樹脂縦枠
１３３    ：左副樹脂縦枠
１４１    ：右金属縦枠
１４２    ：右主樹脂縦枠
１４３    ：右副樹脂縦枠
２            ：ドア本体
２１        ：上框
２１１    ：金属上框
２２        ：下框
２２１    ：金属下框
２３        ：左縦框
２３１    ：左金属縦框
２３２    ：左樹脂縦框
２４        ：右縦框
２４１    ：右金属縦框
２４２    ：右樹脂縦框
２５        ：パネル体
【図１】
0006407050.tif 000002
【図２】
0006407050.tif 000003
【図３】
0006407050.tif 000004
【図４】
0006407050.tif 000005